(57)【要約】【課題】バッグ本体に弁当箱と飲料容器を並べて収納する収納部を設けながら、飲料容器の倒れ等をホルダで防ぎ、収納部内に視線を移すことなくバッグ口から手を入れて飲料容器を取り出し易く、しかも未使用のホルダをバッグ本体と一緒に取扱い易くする。【解決手段】弁当箱３ａ等と、容器ホルダ２に差し込まれた飲料容器４とを並べる収納部１２をバッグ本体１に設け、未使用の容器ホルダ２を折り畳んでベルト２８により正背方向幅の短縮状態を保ったまま装着可能とし、その装着位置を調整して飲料容器４を並び方向に関して任意の位置で立位に保ち、バッグ口１１を閉じると飲料容器４が容器ホルダ２から抜けずに当初の収納位置にあり、当初の収納位置として容器ホルダ２をバッグ口１１の口一端部の下方に配置可能かつ口一端部から手を入れてファスナ等の解除を行うことなく飲料容器４を上方へ抜き出すことを可能とした。【選択図】図１
2010259569.tif 000002
【特許請求の範囲】
【請求項１】
バッグ口に上から手を入れて収納部に出し入れ可能なバッグ本体と、前記収納部の内壁に対して着脱可能な容器ホルダとを備える飲食容器用バッグにおいて、
前記容器ホルダは、上下に開放された筒状を成し、かつ未使用状態で前記収納部の内壁に対する留め具を配した該容器ホルダの背面に正面を相対接近させるように折り畳んで正背方向幅を短縮可能に設けられており、
前記収納部は、弁当箱と、前記容器ホルダに差し込まれた飲料容器とを底上に並べ、かつ前記バッグ口を閉じた状態で該飲料容器の抜け出しを阻止する高さに設けられており、
前記バッグ口は、前記の並び方向の口一端から開閉可能に設けられており、
前記容器ホルダは、前記収納部の内壁に対する装着位置の調整により前記の並び方向に関して任意の位置に前記飲料容器を配置可能かつ立位に保つように設けられていることを特徴とする飲食容器用バッグ。
【請求項２】
前記留め具は雄面ファスナからなる請求項１に記載の飲食容器用バッグ。
【請求項３】
前記容器ホルダは、四角筒状を成し、かつ前記未使用状態で該ホルダの左右両側壁を内側に折り込み可能に設けられている請求項１又は２に記載の飲食容器用バッグ。
【請求項４】
前記容器ホルダは、未使用状態で正面壁及び左右一方の側壁を重ねて仕切り部を成し、背面壁及び左右他方の側壁を重ねるように変形可能に設けられている請求項３に記載の飲食容器用バッグ。
【請求項５】
前記容器ホルダは、前記正背方向幅を短縮した状態で面ファスナにより正背両面間に架け渡すベルトを備え、架け渡された前記ベルトにより前記正背方向幅の伸張が規制される請求項１乃至４のいずれか１項に記載の飲食容器用バッグ。
【発明の詳細な説明】
【技術分野】
【０００１】
この発明は、弁当箱及び飲料容器を入れて持ち歩くためのバッグに関する。
【背景技術】
【０００２】
従来、弁当箱を携帯するため、専用のバッグが用意されている。この種のバッグは、弁当箱を水平に保つため、バッグ口に上から手を入れて収納部に出し入れ可能になっている。バッグの収納部は、弁当箱の収納のみを考慮している。
【０００３】
しかしながら、出先でペットボトル飲料を購入したり、自宅から保温飲料容器を携帯したりするとき、弁当箱と共にペットボトル等の飲料容器を同じバッグで持ち運びできるようにすることが求められている。
【０００４】
弁当箱と飲料容器とをそのまま収納部の底上に並べて持ち運び可能にすると、揺れた飲料容器が弁当箱に倒れ掛かってカチャカチャ音を生じたり、弁当箱に擦り傷がついたりすることが懸念される。また、弁当箱を入れずに飲料容器のみを持ち運びするとき、飲料容器が中で乱雑に動くため、飲料容器の位置を確認するため、バッグ口を大きく開けたり、手で弄ったりしなければならず、使い勝手が悪い。
【０００５】
上述の問題を解決するべく、バッグ内部を仕切って弁当箱用の収納部と飲料容器用の収納部を別に設けると、弁当箱と飲料容器とを並べて収納できるような比較的大きな収納部を設けた場合と比して、飲料容器に代えて他の物を収納するのに不便である。
【０００６】
従来、飲食物、哺乳瓶等を持ち運びするため、バッグ口を開閉するスライドファスナーの開閉方向に複数の袋形ホルダを並べて収納可能な収納部をバッグ本体に設け、収納部の内壁に対して各ホルダを面ファスナにより着脱可能とし、ホルダを開閉方向に関して任意の装着位置に配置可能としたバッグがある（特許文献１）。このバッグは、哺乳瓶や飲食物を適宜にホルダ内に分納し、各ホルダをバッグ口の開閉方向に関して任意の装着位置に配置することができるので、哺乳瓶等が収納部内で他の物に倒れ掛かったり、乱雑に動いたりすることはない。また、バッグ本体の収納部はスライドファスナーの開閉方向に関して仕切られておらず、バッグ内に収納部を大きく設けることもできる。
【先行技術文献】
【特許文献】
【０００７】
【特許文献１】特開平８−１６８４０８号公報
【発明の概要】
【発明が解決しようとする課題】
【０００８】
特許文献１に開示されたバッグは、スライドファスナーで開閉する袋形ホルダなので、ホルダを取り出すことなくホルダ内の物を取り出そうとすると、バッグ口から手を入れてホルダのファスナを摘み、その開閉を要する。弁当箱と共に飲料容器を持ち運びする場合、歩行中等にホルダ内の飲料容器を取り出して飲料を摂取するとき、ホルダを取り出してから飲料容器を取り出すのは面倒である。また、歩行中等にバッグ口から手を入れてホルダ内から飲料容器を取り出そうとするとき、歩行を継続するため視線を前に向けたままだと、ホルダのファスナを手で弄って探し出すことになる。このように特許文献１に開示されたバッグは、収納部内に視線を移すことなくバッグ口から手を入れてホルダ内の物を取り出すのに不向きである。
【０００９】
また、袋形ホルダは中が空の未使用状態でも膨らむため、ホルダを使わずに収納部へ物品を入れるとき、ホルダを外してバッグ本体のみを持ち出すことが起り得る。このようにバッグ本体とホルダがばらばらに取り扱われると、ホルダの紛失を招く。
【００１０】
上述の事情に鑑み、この発明の課題は、バッグ本体に弁当箱と飲料容器を並べて収納する収納部を設けながら、持ち運び中に飲料容器が弁当箱に倒れ掛かったり乱雑に動いたりすることをホルダで防ぎ、収納部内に視線を移すことなくバッグ口から手を入れて飲料容器を取り出し易く、しかも未使用のホルダをバッグ本体と一緒に取扱い易くすることにある。
【課題を解決するための手段】
【００１１】
上記課題を解決するため、この発明は、バッグ口に上から手を入れて収納部に出し入れ可能なバッグ本体と、前記収納部の内壁に対して着脱可能な容器ホルダとを備える飲食容器用バッグにおいて、前記容器ホルダは、上下に開放された筒状を成し、かつ未使用状態で前記収納部の内壁に対する留め具を配した背面に正面を相対接近させるように折り畳んで正背方向幅を短縮可能に設けられており、前記収納部は、弁当箱と、前記容器ホルダに差し込まれた飲料容器とを底上に並べ、かつ前記バッグ口を閉じた状態で該飲料容器の抜け出しを阻止する高さに設けられており、前記バッグ口は、前記の並び方向の口一端から開閉可能に設けられており、前記容器ホルダは、前記収納部の内壁に対する装着位置の調整により前記の並び方向に関して任意の位置に前記飲料容器を配置可能かつ立位に保つように設けられている構成を採用した。
【００１２】
容器ホルダを上下に開放された筒状にすれば、バッグ口から上下に飲料容器を抜き差しすることができると共に、容器ホルダに折り畳みの障害となる蓋部や底部がないので、ホルダ側周に適宜の折り畳み構造を設けることができる。
容器ホルダの折り畳み態様として、収納部の内壁に対する留め具を配した容器ホルダの背面とこれに反対の正面とを接近させるように折り畳んで正背方向幅を短縮可能にすれば、飲料容器を抜き取った未使用状態でも背面の留め具を用いて容器ホルダを着脱することができる。その未使用状態の容器ホルダは、正背方向幅を短縮されるので、使用状態のように膨らんで収納部の空間を占有することはなく、収納部に他の物を入れ易くなる。したがって、未使用の容器ホルダをバッグ本体と一緒に取扱い易い。
また、収納部を弁当箱と、容器ホルダに差し込まれた飲料容器とを底上に並べるように設ければ、収納部を分割せずに済む分、飲料容器に代えて他の物を入れるのに便利である。
さらに収納部をバッグ口を閉じた状態で飲料容器の抜け出しを阻止する高さに設けると、バッグ口を閉じれば、上下開放の筒状の容器ホルダから飲料容器が抜け出して並びが崩れる心配はない。
このように飲料容器の抜け出しを防止した上で、容器ホルダを、収納部の内壁に対する装着位置の調整により前記の並び方向に関して任意の底上に飲料容器を配置可能かつ立位に保つように設けると、持ち運び中に飲料容器が弁当箱に倒れ掛かったり、飲料容器のみを持ち運びするときに収納部内で乱雑に動いたりすることを容器ホルダで防ぐことができる。
また、バッグ口を前記並び方向の口一端から開閉可能に設けると、容器ホルダを口一端部の下方に配置することができるので、口一端部の下方で飲料容器を立位に保つことができる。口一端からバッグ口を開いて手を下方に入れると、上下開放の筒状の容器ホルダで飲料容器が立位に保たれているため、飲料容器を掴み、そのまま上方へ抜き出すことができる。このように、収納部内で容器ホルダのファスナを解除することがなく、飲料容器を直ぐに掴み出せるので、収納部内に視線を移すことなく飲料容器を取り出し易い。
【００１３】
前記留め具は雄面ファスナからなることが好ましい。
【００１４】
留め具として雄面ファスナを容器ホルダ側に採用すると、内壁に雌面ファスナを取り付けるか、内壁素材を雌面ファスナの代わりにすることになる。容器ホルダを未装着状態で収納部に手を入れても、雄面ファスナに手を擦ることがない。留め具としてスナップボタンのような硬い部材が内壁にないため、容器ホルダの未装着時に弁当箱と留め具が当たって雑音が生じることもない。
【００１５】
前記容器ホルダは、四角筒状を成し、かつ前記未使用状態で該ホルダの左右両側壁を内側に折り込み可能に設けられていることが好ましい。
【００１６】
飲料容器は横断面丸形のものが主流であり、横断面角形のものでも角部は面取り状になっている。容器ホルダを四角筒状にすれば、その四隅部と飲料容器の間に空間を生じさせ、弁当箱と飲料容器の間に緩衝空間を設けることができる。また、容器ホルダを四角筒状にすれば、ホルダの左右両側壁を内側に折り込み可能として正背方向幅の短縮を実現することができる。
【００１７】
特に、前記容器ホルダは、未使用状態で正面壁及び左右一方の側壁を重ねて仕切り部を成し、背面壁及び左右他方の側壁を重ねるように変形可能に設けられていることが好ましい。
【００１８】
このように変形すると、背面壁及び左右他方の側壁が重なる装着支持部として容器ホルダを装着することができる。この装着状態では、正面壁及び左右一方の側壁を重ねた仕切り部が収納部内で正背方向に突き出ることになる。この仕切り部は、二重に重なる屈曲部で装着支持部に繋がるため、弁当箱が並び方向に移動する際の接触抵抗になり、空箱の弁当箱の移動を阻止するのに有効である。
【００１９】
前記容器ホルダは、前記正背方向幅を短縮した状態で面ファスナにより正背両面間に架け渡すベルトを備え、架け渡された前記ベルトにより前記正背方向幅の伸張が規制されることが好ましい。
【００２０】
未使用時には、面ファスナによりベルトを容器ホルダの正背両面間に架け渡すことにより、正背方向幅の短縮状態をより確実に維持することができる。また、ベルト留め具として面ファスナを採用すれば、使用時に収納部内で自由部が動き得るベルトにスナップボタンのような硬い留め具がなく、ベルトが弁当箱や飲料容器に当たっても雑音がなることもない。
【発明の効果】
【００２１】
上述のように、この発明は、上記構成の採用により、弁当箱と、容器ホルダに差し込まれた飲料容器とを並べる収納部を設けながら、飲料容器を抜き取った未使用状態の容器ホルダの正背方向幅を短縮して背面の留め具により収納部の内壁に装着可能であり、容器ホルダの装着位置を調整して飲料容器を並び方向に関して任意の位置で立位に保ち、バッグ口を閉じると飲料容器が容器ホルダから抜けずに当初の収納位置にあり、当初の収納位置として容器ホルダを口一端部の下方に配置することが可能であると共に、バッグ口の口一端部から手を入れてファスナ等の解除を行うことなく飲料容器を上方へ抜き出すことが可能なので、持ち運び中に飲料容器が弁当箱に倒れ掛かったり乱雑に動いたりすることをホルダで防ぎ、収納部内に視線を移すことなくバッグ口から手を入れて飲料容器を取り出し易く、しかも未使用のホルダをバッグ本体と一緒に取扱い易くすることができる。
【図面の簡単な説明】
【００２２】
【図１】実施形態に係る飲食容器用バッグの一部切欠き縦断正面図
【図２】実施形態に係る飲食容器用バッグの口一端部を開いた状態を示す全体斜視図
【図３】図１の飲食容器用バッグの水平横断面図
【図４】（ａ）は実施形態の容器ホルダの使用状態を正面側左斜め上方から示す斜視図、（ｂ）は実施形態の容器ホルダの使用状態を背面側右斜め上方から示す斜視図
【図５】（ａ）は実施形態の容器ホルダを折り畳む様子を正面側左斜め上方から示す斜視図、（ｂ）は実施形態の容器ホルダを折り畳んでベルトを留めた様子を正面側左斜め上方から示す斜視図
【図６】容器ホルダを横断面Ｌ字状に折り畳んだときの実施形態の使用例で示す水平横断面図
【図７】弁当箱の一部を未収納としたときの実施形態の使用例で示す水平横断面図
【図８】（ａ）は容器ホルダの変更例を折り畳む様子を正面側左斜め上方から示す斜視図、（ｂ）は容器ホルダの変更例を折り畳んでベルトを留めた様子を正面側左斜め上方から示す斜視図
【発明を実施するための形態】
【００２３】
この発明の実施形態に係る飲食容器用バッグ（以下、単に「実施形態」と称する）は、
図１、図２に示すように、バッグ口１１に上から手を入れて収納部１２に出し入れ可能なバッグ本体１と、収納部１２の内壁に対して着脱可能な容器ホルダ２とを備える。
【００２４】
バッグ口１１は、収納部１２の内壁側周を形成するバッグ本体１の両側壁１３，１３間に設けられたスライドファスナー１４により開閉可能になっている。収納部１２は、弁当箱３ａ，３ｂと、上下に開放された筒状を成す容器ホルダ２に差し込まれた飲料容器４とを底上に並べるように設けられている。この並び方向は、スライドファスナー１４の開閉方向に沿っている。すなわち、バッグ口１１は、前記の並び方向の口一端から開閉可能に設けられている。
【００２５】
なお、スライドファスナー１４のスライダは、一つである必要はなく、二つとしてエレメントの両端のいずれもが口一端になり得るように構成することもできる。バッグ口１１は、並び方向の口一端から開閉可能に設ければよく、他の構成でもよい。例えば、側壁１３，１３の一方に両側壁間を開閉するフラップ部を設け、他方に長さ方向に沿って面ファスナを設け、フラップ部を口一端から開閉可能とした構成にすることもできる。
【００２６】
図１、図３に示すように、収納部１２の内壁のうち側壁１３から形成される部分には、バッグ口１１の開閉方向に沿った方向に長さを有する雌面ファスナ５ａが取り付けられている。
【００２７】
一方、容器ホルダ２は、飲料容器４を上下に抜き差し可能な四角筒状を成すように設けられている。容器ホルダ２の側周を形成する４面のうち、収納部１２の内壁に対する留め具５ｂを配した一面が背面壁２１になっている。容器ホルダ２の左右方向は、前記の並び方向に対応する。
【００２８】
留め具５ｂは、雌面ファスナ５ａに絡着可能な雄面ファスナからなり、背面壁２１に取り付けられている。容器ホルダ２を未装着状態で収納部１２に手を入れても、雄面ファスナに手を擦ることがない。留め具としてスナップボタンのような硬い部材が内壁にないため、容器ホルダ２の未装着時に弁当箱３ａ，３ｂ，３ｂと雌面ファスナ５ａが当たって雑音が生じることもない。
【００２９】
雌面ファスナ５ａ、収納部１２及び容器ホルダ２の構造配置関係から、容器ホルダ２は、収納部１２の内壁に対する装着位置の調整により前記の並び方向に関して任意の位置に飲料容器４を配置可能に設けられている。また、容器ホルダ２は、任意の装着位置で底上まで差し込まれた飲料容器４の傾きを左右両側壁２２，２３で防ぎ、底上で飲料容器４を立位に保つように設けられている。立位とは、飲料容器４の底が収納部１２の底に付く姿勢のことをいう。
【００３０】
容器ホルダ２の側壁２２，２３は、飲料容器４と、隣の弁当箱３ｂ，３ｂとの間に介在するように設けられている。隣の弁当箱３ｂ，３ｂが持ち運び中に滑って飲料容器４側に移動しても直接の接触を避け、側壁２２，２３により衝撃緩和を行い、飲料容器４を袋状ホルダに収納したときと同様にカチャカチャ音の発生を防ぐことができる。
【００３１】
収納部１２は、バッグ口１１を閉じた状態で飲料容器４の抜け出しを阻止する高さに設けられている。収納部１２の高さは、底と、バッグ口１１を閉じて形成される収納部１２の天面部との上下方向間隔であり、この例では、底からスライドファスナー１４のエレメントまでの上下方向間隔となっている。例えば、高さ設定は、容器ホルダ２が最低装着高さのときを前提とし、飲料容器４の上端部が天面部に当たって傾いても、容器ホルダ２の側周上端部及び収納部１２の天面部間に生じる上下方向すきまから抜け出すことがないように決定すればよい。
【００３２】
図４、図５に示すように、容器ホルダ２の背面壁２１、左右両側壁２２，２３及び正面壁２４の各間は、上下方向に亘る折り曲げ容易部２５で繋がっている。また、左右両側壁２２，２３のうち、折り曲げ容易部２５，２５間の正背方向二等分位置上は、上下方向に亘る折り曲げ容易部２６となっている。各折り曲げ容易部２５，２６は、芯材を無くすことにより設けられている。飲料容器４を抜き取った未使用状態の容器ホルダ２は、左右両側壁２２，２３を折り曲げ容易部２６を中心に内側に折り込むことができる。その結果、容器ホルダ２は、背面壁２１に正面壁２４を相対接近させるように折り畳まれ、容器ホルダ２の正背方向幅が短縮する。
【００３３】
また、上述のように折り曲げ容易部２５，２６を設けられた容器ホルダ２は、図６に示すように、未使用状態で正面壁２４及び左右一方の側壁２２を重ねて仕切り部を成し、背面壁２１及び左右他方の側壁２３を重ねるように変形させることもできる。このように変形すると、背面壁２１及び左右他方の側壁２３が重なる装着支持部として容器ホルダ２を装着することができる。この装着状態では、正面壁２４及び左右一方の側壁２２を重ねた仕切り部が収納部１２内で正背方向に突き出る。この仕切り部は、二重に重なる屈曲部で装着支持部に繋がるため、弁当箱３ａ，３ｂ，３ｂが並び方向に移動する際の接触抵抗になり、空箱の弁当箱３ａ，３ｂが並び方向に滑り動くことを防ぐ。
【００３４】
図４、図５に示すように、容器ホルダ２は、正背方向幅を短縮した状態で面ファスナ２７ａにより正背両面間に架け渡すベルト２８を備える。ベルト２８は、容器ホルダ２の背面を成す背面壁２１の筒外面側に取り付けられている。容器ホルダ２の正面を成す正面壁２４の筒外面側には、ベルト２８側の面ファスナ２７ａと絡着する面ファスナ２７ｂが取り付けられている。面ファスナ２７ａ，２７ｂによりベルト２８を架け渡した状態に固定することができる。架け渡されたベルト２８は、折り込まれた左右両側壁２２，２３の弾性反発に抗して背面壁２１及び正面壁２４を正背方向に挟む。このように架け渡されたベルト２８により、容器ホルダ２の正背方向幅の伸張が規制される。したがって、未使用時には、容器ホルダ２の正背方向幅の短縮状態をより確実に維持することができる。また、使用時には、収納部１２内でベルト２８の自由部が動き得るが、例えばベルト２８が隣の弁当箱３ｂ，３ｂや飲料容器４に当たっても雑音がなることもない。ベルト２８を正面壁２４から外せば、容器ホルダ２を筒状に戻すことができる。なお、雑音防止は、面ファスナ２７ａが雄雌いずれでも達成することができ、面ファスナ２７ａ，２７ｂのうち雌面ファスナは雌面ファスナ５ａと同じく適宜に省略することができる。
【００３５】
飲料容器４は、横断面丸形とされた携帯保温容器になっている。図３に示すように、飲料容器４と四角筒状を成す容器ホルダ２の各隅部との間には、緩衝空間２９ａ，２９ｂ，２９ｃ，２９ｄが設けられている。実施形態は、専用に用意された携帯保温容器に代えて、飲料容器４として、一般的な容量３５０ｍｌ以下のペットボトルを使用することもできるようになっている。容量５００ｍｌのペットボトルだと、収納部１２の高さの設定上、一般的な容量の弁当箱３ａや弁当箱３ｂの上方に大きな空間が広がり、弁当箱３ａ，３ｂ，３ｂが浮き易くなるからである。
【００３６】
図１、図３に示すように、弁当箱３ａ，３ｂは、飲料容器４と並べられるよう、バッグ本体１の収納部１２の内寸に適合させた専用品になっている。弁当箱３ａは、断熱容器を外容器とし、飯器や汁器を外容器に内蔵する保温弁当箱になっている。弁当箱３ｂは、非保温容器からなり、通常、自然温度で保管すべきおかず入れとなっている。弁当箱は、保温弁当箱のみ、又は非保温弁当箱のみから構成されるものでもよく、１つだけで構成されるものでもよい。
【００３７】
バッグ口１１を閉じた状態で持ち運びすると、通常、バッグ本体１の自重により両側壁１３，１３間が容器ホルダ２の正背方向に接近して弁当箱３ａ，３ｂを挟み、これらの上昇を阻止する。また、並び方向両端の弁当箱３ａ、飲料容器４と、及び収納部１２の内壁側周底部間に並び方向のすきまが殆ど生じず、通常、並びが正背方向に崩れることはない。また、上述のように飲料容器４が容器ホルダ２から抜け出ることもない。このように収納部１２を形成する側壁１３等は、適宜に芯材の内包や腰のある素材を採用することにより、弁当箱３ａ，３ｂ、飲料容器４の並べた状態に維持可能な耐変形性を与えられている。なお、収納部１２の内壁側周の上部と、並び方向両端の弁当箱３ａや容器ホルダ２に差し込まれた飲料容器４との間に空間が生じるようになっている。これら空間は、バッグ口１１を開けて飲料容器４や弁当箱３ａ等の側周を掴み易くするために設けられている。
【００３８】
上述のような実施形態は、弁当箱３ａ，３ｂと、容器ホルダ２に差し込まれた飲料容器４とを底上に並べられる収納部１２が設けられているので、飲料容器４の保持用のポケットを設けるために収納部１２を分割せずに済む分、収納部１２を広く設けることができ、飲料容器４に代えて他の物を入れるのに便利である。
【００３９】
また、飲料容器４を抜き取った未使用状態でも留め具５ｂを用いて容器ホルダ２を収納部１２の内壁に対して着脱することができる。その未使用状態の容器ホルダ２は、図５に示すように正背方向幅を短縮されるので、図１に示す使用状態のように膨らんで収納部１２の空間を占有することはなく、収納部１２に他の物を入れ易い。したがって、実施形態は、未使用の容器ホルダ２をバッグ本体１と一緒に取扱い易く、ひいては容器ホルダ２の紛失を防ぐことができる。
【００４０】
バッグ口１１を閉じれば、上下開放の筒状の容器ホルダ２から飲料容器４が抜け出して並びが崩れる心配はなく、容器ホルダ２により飲料容器４が立位に保たれる。したがって、実施形態は、持ち運び中に飲料容器４が隣の弁当箱３ｂ，３ｂに倒れ掛かったり、飲料容器４のみを持ち運びするときに収納部１２内で飲料容器４が乱雑に動いたりすることを容器ホルダ２で防ぐことができる。
【００４１】
また、容器ホルダ２の装着位置を調整することにより、飲料容器４の当初の収納位置としてバッグ口１１の口一端部（図２中のバッグ口１１の開放域と考えてよい）の下方、すなわちスライドファスナー１４のスライダ停止端に対応する端部の下方に配置することができる。図１に示すように、上下開放の筒状の容器ホルダ２により飲料容器４が当初の収納位置で立位に保たれているため、バッグ口１１を少し開いて手を下方に入れると、飲料容器４を掴み、そのまま上方へ抜き出すことができる。したがって、実施形態は、収納部１２内で容器ホルダ２のファスナを解除することがなく、飲料容器４を直ぐに掴み出せるので、収納部１２内に視線を移すことなく飲料容器４を取り出し易い。例えば、歩行中でも視線を前に向けたまま、飲料容器４を容易に取り出すことができる。なお、歩行中のように取り出し直後に飲料摂取し、摂取直後に飲料容器４が収納される使用形態が多くなることを考慮すると、飲料容器４は、蓋を開けてストローや飲み口に口を付け、飲料を摂取することが可能なものが好適である。
【００４２】
仮に、図７に示すように、弁当箱３ａ及び弁当箱３ｂ，３ｂの一方を収納しないとき、例えば、ご飯を携帯するため弁当箱３ａのみを収納し、弁当箱３ｂ，３ｂに代えて市販品のおかずパックを収納したとき、飲食後におかずパックを廃棄すると、収納部１２には並び方向に弁当箱３ｂ分の空間が生じる。実施形態は、飲料容器４を差し込んでバッグ口１１を閉じると、容器ホルダ２及び飲料容器４は一まとまりで仕切りとして機能するから、容器ホルダ２の装着位置を調整することによって弁当箱３ａの並び方向への移動を阻止し、容器ホルダ２及び飲料容器４への衝突を防止することができる。
【００４３】
また、実施形態は、図６に示すように、容器ホルダ２を横断面Ｌ字状に折り曲げて装着することにより、空箱の弁当箱３ａ等が並び方向に移動することを防ぐことができる。例えば、飲料容器としてペットボトルを収納したときでも、横断面Ｌ字状にした容器ホルダ２の装着位置を調整することにより、空箱の弁当箱３ａを収納部１２の内壁側周と共に並び方向に挟むようにすれば、弁当箱３ａの移動を阻止することができる。
【００４４】
この発明の範囲は、上述の実施形態に限定されず、特許請求の範囲の記載と均等の範囲内での全ての変更を含むものである。例えば、図８に容器ホルダの変更例を示すように、飲料容器４を上下に抜き差し可能な丸筒状を成し、かつ正背方向に面押しすることにより左右両側を折り畳み、正背方向幅を短縮可能に設けられた容器ホルダ２’を採用することもできる。丸筒状にすると、折り畳み状態で左右両側に膨らみが残るため、四角筒状の方が好ましい。
【符号の説明】
【００４５】
１  バッグ本体
２，２’  容器ホルダ
３ａ，３ｂ  弁当箱
４  飲料容器
５ａ  雌面ファスナ
５ｂ  留め具
１１  バッグ口
１２  収納部
１３  側壁
１４  スライドファスナー
２１  背面壁
２２，２３  側壁
２４  正面壁
２５，２６  折り曲げ容易部
２７ａ，２７ｂ  面ファスナ
２８  ベルト
２９ａ，２９ｂ，２９ｃ，２９ｄ  緩衝空間
【図１】
2010259569.tif 000003
【図２】
2010259569.tif 000004
【図３】
2010259569.tif 000005
【図４】
2010259569.tif 000006
【図５】
2010259569.tif 000007
【図６】
2010259569.tif 000008
【図７】
2010259569.tif 000009
【図８】
2010259569.tif 000010